【手続補正書】
【提出日】平成16年11月25日(2004.11.25)
【手続補正１】
【補正対象書類名】特許請求の範囲
【補正対象項目名】全文
【補正方法】変更
【補正の内容】
【特許請求の範囲】
【請求項１】
患者の胸部を圧迫するための装置であって、
患者の胸部の周囲に少なくとも部分的に延びるように適合されたベルトであって、繰出し部分と巻取り部分によって特徴づけられる上述のベルトと、
作動可能にベルトに接続され、スプール上でベルトを巻いたり緩めたりし、それによって、ベルトの巻取りおよび繰出し部分の長さに影響を及ぼすスプールと、
作動可能にスプールに接続され、スプールを回転させるように作動させることができ、患者の胸部の周囲にベルトを締め付けることができるモータと、
モータの動作を制御するコントローラと、
圧力検知手段であって、ベルトが患者の周囲に締め付けられるときベルトと患者の間に配置され、上記圧力検知手段を作動させて、ベルトが胸部にかけた圧力を検知し、ベルトが胸部にかけた圧力に呼応する信号を送信できる圧力検知手段とを備え、
上記コントローラは、ベルトがかけた圧力に一致する信号に呼応してモータの動作を制御するようにプログラミングされている、装置。
【請求項２】
圧迫中のベルト繰出し部分の長さの変化を測定し、ベルトの長さの変化に一致する信号をコントローラに送信するエンコーダをさらに備え、
コントローラがプログラミングされてモータの動作を制御し、モータの動作を開始することによって患者の胸部の周囲にベルトを締め付け、繰り出された部分の長さの変化に一致する信号が、患者の胸部の最適な蘇生圧迫を達成したことを表示するまで、締付け動作が継続されることを特徴とする請求項１に記載の装置。
【請求項３】
コントローラがプログラミングされてモータの動作を制御し、モータの動作を開始することによって患者の胸部の周囲にベルトを締め付け、ベルトによってかけられた力に一致する信号が、予め定められた設置ポイントに達するまで、締付け動作が継続されることを特徴とする請求項１に記載の装置。
【請求項４】
患者の胸部を圧迫するための装置であって、
少なくとも部分的に患者の胸部の周囲に延長するように適合させたベルトと、
ブラダーであって、患者の周囲にベルトを締め付けたとき、ベルトと患者の間に置かれるように適合され、上記ブラダーが圧力伝達媒体で満たされるようになっているブラダーと、
作動可能にベルトに接続されており、作動させて患者の胸部の周囲をベルトで締め付けることができるモータと、
モータの動作を制御するためのコントローラと、
作動可能にブラダーに接続される圧力センサであって、上記圧力センサがブラダー内の圧力を監視するように作動させることができ、ブラダー内の圧力に一致する信号をコントローラに送信する圧力センサと
を備え、
上記コントローラは、圧力センサから送信されたブラダー内の圧力に一致する信号に呼応してモータの動作を制御するようにプログラミングされている、装置。
【請求項５】
コントローラがプログラミングされてモータの動作を制御し、モータの動作を開始することによってベルトを患者の胸部の周囲に締め付け、ブラダー内の圧力に一致する信号が予め定められた設置ポイントに達するまで、締付け動作が継続されることを特徴とする請求項４に記載の装置。
【請求項６】
作動可能にベルトに接続され、そのベルトがベルトの繰出し長の変化に一致する信号をコントローラに送信するようになっているエンコーダをさらに備え、
コントローラがプログラミングされてモータの動作を制御し、モータの動作を開始することによって患者の胸部の周囲にベルトを締め付け、ベルトの長さの変化に一致する信号が、好適な圧迫閾値が達成されたことを表示するまで、モータの締付け動作が継続されることを特徴とする請求項４に記載の装置。
【請求項７】
患者の胸部の好適な圧迫がいつ達成されるかを決定するため、ブラダー内の圧力に一致する信号とベルト長の変化に一致する信号を分析することによって、ブラダーの圧力の変化とベルト長の変化の速度がいつ予め定められた速度に達するかを決定するために、コントローラがプログラミングされることを特徴とする請求項６に記載の装置。
【請求項８】
患者の胸部の好適な圧迫がいつ達成されるかを決定するため、ブラダー内の圧力に一致する信号とベルト長の変化に一致する信号を分析することによって、ブラダー内の圧力とベルト長の変化の速度の比に一致する第１の数値と、ブラダー内の圧力に一致する第２の数値の比が予め定められた比に達するかを決定するために、コントローラがプログラミングされることを特徴とする請求項６に記載の装置。
【請求項９】
患者の胸部を圧迫するための装置であって、
少なくとも部分的に患者の胸部の周囲に延長するように適合させたベルトと、
駆動スプールの回転がスプール周囲へのベルト取上げを生ずるようにベルトに接続された駆動スプールと、
駆動スプールを作動するためのモータと、
作動可能にモータを駆動スプールに接続する非逆転連結装置と、を備える装置。
【請求項１０】
非逆転連結装置がモータを非逆転連結装置に接続している入力シャフトと、非逆転連結装置を駆動スプールに接続している出力シャフトを有し、上記の非逆転連結装置がモータによる入力シャフトの回転を許容し、それによって駆動スプールを第１の方向へ回転して、ベルトを患者の胸部の周囲に締め付け、モータが入力シャフトを第２の方向へ回転することを許容し、患者の胸部の周囲のベルトを弛緩させ、上記の非逆転連結装置が、駆動スプールにより回転力が出力シャフトにかかることに起因する出力シャフトの回転を防止することを特徴とする装置。
【請求項１１】
患者の胸部を圧迫するための装置であって、
少なくとも部分的に患者の胸部の周囲に延長するように適合させたベルトと、
作動可能にベルトに接続して、患者の胸部の周囲にベルトの締付けと弛緩を繰り返すことができる駆動スプールと、
ブレーキシャフトを有し、上記ブレーキが作動可能に駆動スプールに接続され、駆動スプールを患者の胸部の周囲を締め付けた状態で保持できるブレーキと、駆動トレインを介して作動可能に駆動スプールに接続され、上記モータケーブルが駆動スプールを繰り返し作動させ、患者の胸部の周囲のベルトの締付けと患者の胸部の周囲のベルトの緩めをひき起こすことができるモータと、
上記駆動トレインは、モータシャフト、ギアボックス出力シャフトを備えるギアボックス、ギアボックス出力シャフト上に搭載された第１スプロケットホイール、およびギアボックス出力シャフト上に搭載された第２スプロケットホイールからなる、
上記ブレーキは、第１チェーンを介して第１スプロケットホイールに接続され、上記第１チェーンが、ブレーキシャフトに接続された第３ソケットホイールに接続され、
上記駆動スプールは、第２チェーンを介して第２スプロケットホイールに接続され、上記 第２チェーンが、ブレーキシャフトに接続された第４ソケットホイールに接続され、
モータとブレーキの動作を制御するコントローラであって、上記コントローラがモータとブレーキを作動させるようプログラムされ、ベルトの締付けと弛緩のサイクルの繰返しをひき起こし、断続的にブレーキを作動させて締付けの閾値でベルトを保持するコントローラと、を備える装置。
【請求項１２】
第１のスプロケットホイールと第２のスプロケットホイールが互いに相関的なサイズに作られ、ギアボックス出力シャフトに対してブレーキシャフトのスピードを増すギアリング変化をもたらすことを特徴とする請求項１１に記載の装置。
【請求項１３】
第２のスプロケットホイールと第３のスプロケットホイールが互いに相関的なサイズに作られ、ギアボックス出力シャフトに対して駆動スプールのスピードを減らすギアリング変化をもたらすことを特徴とする請求項１２に記載の装置。
【請求項１４】
患者の胸部を圧迫するための装置であって、
患者の胸部の周囲に適合され、患者を締め付けるベルトと、
作動可能にベルトに接続され、患者の胸部の周囲にベルトの締付けと弛緩を繰り返すことができる駆動スプールと、
駆動トレインを介して作動可能に駆動スプールに接続され、上記モータケーブルが駆動スプールを繰り返し作動させ、患者の胸部の周囲のベルトの締め付けと患者の胸部の周囲のベルトの緩めをひき起こすことができるモータと、
上記駆動トレインは、モータシャフト、ギアボックス出力シャフトを設けるギアボックス、ギアボックス出力シャフト上に搭載された第１スプロケットホイールからなり、上記スプロケットホイールが第１チェーンを介して駆動スプール上に搭載された第２スプロケットホイールに接続され、
ブレーキシャフトを有し、上記ソケットホイールが第３ソケットを介して第４スプロケットホイールに接続されているブレーキと、
モータとブレーキの動作を制御するコントローラであって、上記コントローラがモータとブレーキを作動させるようプログラムされ、ベルトの締付けと弛緩サイクルの繰返しをひき起こし、断続的にブレーキを作動させて締付けの閾値でベルトを保持するコントローラと、を備える装置。
【請求項１５】
第２のスプロケットホイールと第３のスプロケットホイールが互いに相関的なサイズに作られ、駆動スプールに対してブレーキシャフトのスピードを増すギアリング変化をもたらすことを特徴とする請求項１４に記載の装置。
【請求項１６】
患者の胸部を圧迫するための装置であって、
ベルトに対して患者の上体を支持するように適合された第１台と、
患者の背中を横にまたがる大きさと寸法に作られ、患者の身体を横にほぼまたがる上記第１台と、
患者に対して垂直に拡がるスロットを有し、患者に対して台のほぼ水平面中心点に位置する上第１記台と、
上記スロットを介して上方に延びるように適合され、患者の周囲に延びて、患者の胴体の周囲を締め付けるように適合された上記ベルトと、
患者の胸部の周囲にベルトの締付けと弛緩を繰り返すためのベルトに作動可能に接続され、上記駆動スプールが脊椎から横方向に離して、患者の側面に配置される駆動スプールと、を備える装置。
【請求項１７】
第１台と患者の間に配置され、上記第２台が患者に対して水平に延び、脊椎の凹部をほぼまたがるように適合され、脊椎の下を垂直に延び、それがスロットに実質的に重なり、第１台と第２台の間のスロットの左側と右側に隙間を形成するようになっている第２台をさらに備え、
ベルトがスロットを介して上方に延び、ベルトの右側部分はスロットの右側にある隙間を介して延び、ベルトの左側部分はスロットの左側にある隙間を介して延び、上記左右のベルト部分が患者の周囲に延び、患者の胴体の周囲で留めるように適合されていることを特徴とする請求項１６に記載の装置。
【請求項１８】
駆動スプールが約0.5 cm〜2.5 cmの径を有し、胸の各圧迫中に1回転を超えて回転するように適合されていることを特徴とする請求項１６に記載の装置。
【請求項１９】
患者の胸部を圧迫するための装置であって、
ベルトであって、患者の胸部の周囲に少なくとも部分的に延びるように適合され、上記ベルトがさらに患者の前後圧迫のために適合されたベルトと、
患者の周囲にベルトを締めたとき、ベルトと患者の間に配置されるブラダーであって、上記ブラダーが圧力伝達媒体で満たされるブラダーと、を備える装置。
【請求項２０】
患者の胸部を圧迫するための装置であって、
患者の胸部を圧迫する手段と、
胸部を圧迫する手段と患者との間に配置され、上記ブラダーが圧力伝達媒体で満たされるブラダーと、を備える装置。
【請求項２１】
患者の胸部を圧迫するための装置であって、
患者の胸部の周囲に少なくとも部分的に延びるように適合されるベルトであって、上記ベルトがさらに患者の前後圧迫のために適合されているベルトと、
患者の周囲にベルトを締めたとき、ベルトと患者の間に置かれ、上記の少なくとも１個のブラダーが圧力伝達媒体で満たされる少なくとも２個のブラダーと、を備える装置。
【請求項２２】
患者の胸部を圧迫するための装置であって、
患者の胸部を圧迫する手段と、
胸部を圧迫する手段と患者との間に配置される少なくとも２個のブラダーであって、上記ブラダーが圧力伝達媒体で満たされる少なくとも２個のブラダーとを備える装置。
【請求項２３】
患者の胸部を圧迫するための装置であって、
患者が横になることができる台と、
作動可能に台に接続されるベルトであって、患者の胸部の周囲に少なくとも部分的に延びるように適応され、上記ベルトがさらに、患者の前後圧迫のために適合されているベルトと、
作動可能にベルトに接続されるモータであって、そこにおいて、ベルトが患者の胸部を圧迫するようにモータがベルトを十分な力で駆動できるようになっているモータと、
モータとベルトに作動可能に取り付けられている駆動スプールと、
台に接続されているスピンドルと
を備え、
ベルトが患者の周囲に配置され、続いてスピンドルの周囲に配置され、
ベルトと患者の間に配置されるブラダーであって、上記ブラダーが圧力伝達媒体で満たされるブラダーと、を備える装置。
【請求項２４】
患者の胸部を圧迫するための装置であって、
患者が横になることができる台と、
作動可能に台に接続されるベルトであって、患者の胸部の周囲に少なくとも部分的に延びるように適応され、上記ベルトがさらに、患者の前後圧迫のために適合されているベルトと、
作動可能にベルトに接続されるモータであって、そこにおいて、ベルトが患者の胸部を圧迫するようにモータがベルトを十分な力で駆動できるモータと、
モータとベルトに作動可能に接続されている駆動スプールと、
作動可能に台に接続され、患者の右に配置される第１のスピンドル、作動可能に台に接続され、患者の左に配置される第２のスピンドル、および、作動可能に台に接続され、患者の下に配置される第３のスピンドルと
を備え、
ベルトが第１のスピンドルの周囲、第２のスピンドルの周囲、および第3スピンドルの周囲に配置され、
ベルトと患者の間に配置されるブラダーであって、上記ブラダーが圧力伝達媒体で満たされるブラダーと、を備える装置。
【請求項２５】
患者の胸部を圧迫するための装置であって、上記装置が、
少なくとも部分的に患者の胸部の周囲に延長するように適合させたベルトと、
患者のまわりにベルトを締めたとき、ベルトと患者の間に置かれるように適合されるブラダーであって、上記ブラダーが圧力伝達媒体で満たされるブラダーと、
作動可能にベルトに接続されており、作動させて患者の胸部の周囲をベルトで締めることができるモータと、
モータの動作を制御するためのコントローラと、
作動可能にブラダーに接続される圧力センサであって、上記圧力センサがブラダー内の圧力を監視するように作動させることができ、ブラダー内の圧力に一致する信号をコントローラに送信する圧力センサと、
圧力センサから送信されたブラダー内の圧力に一致する信号に呼応してモータの動作を制御するようにプログラミングされている、上記コントローラとを備え、
モータがベルトを駆動させるとき、空気ブラダー内の圧力が約200 mmHgから約300 mmHgの範囲を超えないように、コントローラがベルトの取上げを制限することを特徴とする装置。
【請求項２６】
患者の胸部を圧迫するための装置であって、
少なくとも部分的に患者の胸部の周囲に延長するように適合させたベルトと、
患者の周囲にベルトを締めたとき、ベルトと患者の間に置かれるように適合されるブラダーであって、上記ブラダーが圧力伝達媒体で満たされるブラダーと、
作動可能にベルトに接続されており、作動させて患者の胸部の周囲をベルトで締めることができるモータと、
モータの動作を制御するためのコントローラと、
作動可能にブラダーに接続された圧力センサであって、上記圧力センサがブラダー内の圧力を監視するように作動させることができ、ブラダー内の圧力に一致する信号をコントローラに送信する圧力センサと、
圧力センサから送信されたブラダー内の圧力に一致する信号に呼応してモータの動作を制御するようにプログラミングされている上記コントローラとを備え、
ブラダー内の圧力が約10 mmHg〜約50 mmHgの範囲に達したとき、コントローラがモニタに対して圧迫前ベルト張力を設定するよう指示することを特徴とする装置。
【請求項２７】
胸部圧迫装置であって、
患者の胸部の周囲に圧迫ベルトを繰り返し締め付ける手段に作動可能に接続され、上記圧迫ベルトが符号化スケール(encoding scale)を有する圧迫ベルトと、
符号化スケールを走査できるスキャナであって、上記スキャナが符号化スケールを走査できるように配置されたスキャナとを備え、
符号化スケールの走査に基づき、スキャナが圧迫ベルトの移動距離を表示できる信号を生み出せることを特徴とする装置。
【請求項２８】
符号化スケールが機械的な符号化スケールであることを特徴とする請求項２７に記載の胸部圧迫装置。
【請求項２９】
符号化スケールが光学的符号化スケールであることを特徴とする請求項２７の胸部圧迫装置。
【請求項３０】
符号化スケールが磁気符号化スケールであることを特徴とする請求項２７の胸部圧迫装置。
【請求項３１】
胸部圧迫装置であって、
患者の胸部の周囲に圧迫ベルトを繰り返し締め付ける手段に作動可能に接続されている圧迫ベルトと、
圧迫ベルトに作動可能に接続される回転部分であり、上記回転部分が角張った符号化スケールを有する回転部分と、
角張った符号化スケールを走査できるスキャナであって、上記スキャナが角張った符号化スケールを走査できるように配置されたスキャナとを備え、
圧迫ベルトの移動距離を表示できる符号化スケールの走査に基づき、スキャナが信号を生み出せることを特徴とする装置。
【請求項３２】
符号化スケールが機械的な符号化スケールであることを特徴とする請求項３１の胸部圧迫装置。
【請求項３３】
符号化スケールが光学的符号化スケールであることを特徴とする請求項３１の胸部圧迫装置。
【請求項３４】
符号化スケールが磁気符号化スケールであることを特徴とする請求項３１の胸部圧迫装置。
【請求項３５】
胸部圧迫装置であって、
患者の胸部の周囲に圧迫ベルトを繰り返し締め付ける手段に作動可能に接続され、上記圧迫ベルトが符号化スケールを有する圧迫ベルトと、
符号化スケールを走査できるスキャナであって、上記スキャナが符号化スケールを走査できるように配置されたスキャナとを備え、
符号化スケールの走査に基づき、スキャナが圧迫ベルトの移動の変化率を表示できる信号を生み出せることを特徴とする装置。
【請求項３６】
符号化スケールが機械的な符号化スケールであることを特徴とする請求項３５の胸部圧迫装置。
【請求項３７】
符号化スケールが光学的符号化スケールであることを特徴とする請求項３５の胸部圧迫装置。
【請求項３８】
符号化スケールが磁気符号化スケールであることを特徴とする請求項３５の胸部圧迫装置。
【請求項３９】
胸部圧迫装置であって、
患者の胸部の周囲に圧迫ベルトを繰り返し締め付ける手段に作動可能に接続される圧迫ベルトであって、上記圧迫ベルトが符号化スケールを有する圧迫ベルトと、
圧迫ベルトに作動可能に接続される回転部分であって、上記回転部分が角張った符号化スケールを有する回転部分と、
角張った符号化スケールを走査できるスキャナであって、上記スキャナが角張った符号化スケールを走査できるように配置されたスキャナとを備え、
符号化スケールの走査に基づき、上記スキャナが圧迫ベルトの移動の変化率を表示できる信号を生み出せることを特徴とする装置。
【請求項４０】
符号化スケールが機械的な符号化スケールであることを特徴とする請求項３９の胸部圧迫装置。
【請求項４１】
符号化スケールが光学的符号化スケールであることを特徴とする請求項３９の胸部圧迫装置。
【請求項４２】
符号化スケールが磁気符号化スケールであることを特徴とする請求項３９の胸部圧迫装置。
【請求項４３】
胸部圧迫装置であって、
患者の胸部の周囲に圧迫ベルトを繰り返し締め付ける手段に作動可能に接続される圧迫ベルトであって、上記圧迫ベルトが複数のマーカを有し、複数のマーカの１つ１つがスキャナで走査できるようになった圧迫ベルトと、
複数のマーカの１つ１つを走査することができ、圧迫ベルトが移動するにつれて、スキャナが複数のマーカの１つ１つを測定できるように配置されるスキャナとを備え、 
複数マーカの走査に基づき、上記スキャナが圧迫ベルトの移動距離を表示できる信号を生み出せることを特徴とする装置。
【請求項４４】
胸部圧迫装置であって、
患者の胸部の周囲に圧迫ベルトを繰り返し締め付ける手段に作動可能に接続されている圧迫ベルトと、
圧迫ベルトに作動可能に接続された回転部分であって、上記回転部分が複数のマーカを有し、上記複数マーカの１つ１つがスキャナで走査可能である回転部分と、
複数のマーカの１つ１つを走査することができ、回転部分が回転するにつれて、スキャナが複数のマーカの１つ１つを測定できるように配置されるスキャナとを備え、 
複数マーカの走査に基づき、上記スキャナが圧迫ベルトの移動距離を表示できる信号を生み出せることを特徴とする装置。
【請求項４５】
胸部圧迫装置であって、
患者の胸部の周囲に圧迫ベルトを繰り返し締め付ける手段に作動可能に接続される圧迫ベルトであって、上記圧迫ベルトが複数のマーカを有し、複数のマーカの１つ１つがスキャナで走査できるようになった圧迫ベルトと、
複数のマーカの１つ１つを走査することができるスキャナであって、圧迫ベルトが移動するにつれて、スキャナが複数のマーカの１つ１つを測定できるように配置されるスキャナとを備え、
複数マーカの走査に基づき、上記スキャナが圧迫ベルトの移動の変化率を表示できる信号を生み出せることを特徴とする装置。
【請求項４６】
胸部圧迫装置であって、
患者の胸部の周囲に圧迫ベルトを締め付ける手段に作動可能に接続されている圧迫ベルトと、
圧迫ベルトに作動可能に接続された回転部分であって、上記回転部分が複数のマーカを有し、上記複数マーカの１つ１つがスキャナで走査可能である回転部分と、
複数のマーカの１つ１つを走査することができるスキャナであって、回転部分が回転するにつれて、スキャナが複数のマーカの１つ１つを測定できるように配置されるスキャナとを備え、
複数マーカの走査に基づき、上記スキャナが圧迫ベルトの移動の変化率を表示できる信号を生み出せることを特徴とする装置。
【請求項４７】
圧迫ベルトを駆動させる胸部圧迫装置内で胸部圧迫ベルトの移動を計算する方法であって、上記方法は、
胸部圧迫装置を提供するステップを備え、圧迫装置は、
患者の胸部の周囲に圧迫ベルトを繰り返し締め付ける手段に作動可能に接続され、上記圧迫ベルトが符号化スケールを有する圧迫ベルトと、
符号化スケールを走査できるスキャナであって、上記スキャナが符号化スケールを走査できるように配置されたスキャナとを備え、
圧迫ベルトが移動する距離を表示できる符号化スケールの走査に基づき、スキャナが信号を生み出すことができ、
圧迫ベルトが移動するにつれて、スキャナで符号化スケールを走査し、上記スキャナが圧迫ベルトが移動したことを示す信号を生み出し、
プロセッサに信号を提供し、及び、
プロセッサを使用して圧迫ベルトが移動する距離を計算するステップからなる方法。
【請求項４８】
胸部圧迫装置内で、圧迫ベルトの緊張の圧迫閾値を設定する方法であって、上記方法が、
胸部圧迫装置を提供し、胸部圧迫装置は、
患者の胸部の周囲に圧迫ベルトを繰り返し締め付ける手段に作動可能に接続され、上記圧迫ベルトが符号化スケールを有する圧迫ベルトと、
符号化スケールを走査できるスキャナであって、上記スキャナが符号化スケールを走査できるように配置されたスキャナとを備え、
符号化スケールの走査に基づき、スキャナが圧迫ベルトの移動の変化率を表示できる信号を生み出せることができ、
圧迫ベルトが移動するにつれて、スキャナで符号化スケールを走査し、上記スキャナが圧迫ベルトの移動率を示す信号を生み出し、
プロセッサにスキャナ信号を提供し、
圧迫ベルトの移動の変化率が予め定められた数値を下回った地点で、圧迫ベルトの緊張の圧迫閾値を設定するため、スキャナ信号を処理するプロセッサを使用するステップからなる方法。
【請求項４９】
当初はサイズが知られていない患者において特定の圧迫深度を達成するため、圧迫ベルトの作動長を設定する方法であって、上記方法が、
胸部圧迫装置を提供し、胸部圧迫装置は
患者の胸部の周囲に繰り返し締め付けられる手段に作動可能に接続される圧迫ベルトであって、上記圧迫ベルトが符号化スケールを有する圧迫ベルトと、
符号化スケールを走査できるスキャナであって、上記スキャナが符号化スケールを走査できるように配置されたスキャナとを備え、
圧迫ベルトが移動する距離を表示できる符号化スケールの走査に基づき、スキャナが信号を生み出すことができ、
圧迫ベルトが移動するにつれて、スキャナで符号化スケールを走査し、上記スキャナが圧迫ベルトの移動距離と圧迫ベルトの変化率の両方を示すスキャナ信号を生み出し、
プロセッサにスキャナ信号を提供し、
圧迫ベルト移動の変化率が予め定められた数値を下回った点で、圧迫ベルトの緊張の圧迫閾値を設定するため、スキャナ信号を処理するプロセッサを使用し、
圧迫ベルトが緊張の圧迫閾値にある点に圧迫ベルトの作動長を設定するため、プロセッサを使用してスキャナ信号を処理し、プロセッサを使用して、圧迫ベルト作動長を予め定められた一連の圧迫ベルト移動と比較し、及び
プロセッサを使用して、圧迫ベルトの作動長に基づき、一連の圧迫ベルト移動からの特定のベルト移動を設定することからなる方法。
【請求項５０】
患者の胸部を圧迫するための装置であって、
少なくとも部分的に患者の胸部の周囲に延長するようになっているベルト（６４）と、
回転すると上記ベルトを巻き取り、患者の胸部の周囲を締め付けるように、上記ベルトに作動可能に接続されている回転部材（６８）と、
上記回転部材を回転させるモータ（１０３）と
を備え、
上記回転部材の径は、上記ベルトを張って胸部を蘇生圧迫するには上記回転部材が完全な１回転を超える回転が必要とされるように選択されていることを特徴とする、装置。
【請求項５１】
回転部材（６８）が0.5cmから2.5cmの範囲の径を有する請求項５０に記載の装置。
【請求項５２】
モータにより駆動されて作動すると上記ベルトが上記患者の胸の周囲を圧迫するように動作するように、上記ベルトに作動可能に接続された駆動機構と、
上記モータ及び上記駆動機構に作動可能に接続され、装置の作動中に上記モータを上記駆動機構に接続するように動作可能なクラッチ（１１１）と、
上記モータに作動可能に接続され、装置の動作中に上記クラッチに上記モータを上記駆動機構から遮断させることができる制御システム（７０）と
をさらに備える、請求項５０に記載の装置。
【請求項５３】
患者の胸の付近に配置され、上記駆動スプールが搭載されるパネル（７１）と、
上記駆動スプールに対して実質的に平行に上記パネルに搭載され、上記ベルトに係合して、上記ベルトの進行方向を、上記駆動スプールに向かう上記胸に対する横断方向から、上記駆動スプールから離れる上記胸に対する反対の横断方向に反転させるスピンドル（７５，１５３）と
をさらに備える、請求項５０に記載の装置。
【請求項５４】
上記パネルは少なくとも左側パネル（７１Ｌ）及び右側パネル（７１Ｒ）を備え、上記左側パネル及び右側パネルは、畳んで一体化し、拡げて実質的な平坦な形状にでるきようにヒンジ接続されている、請求項５３に記載の装置。
【請求項５５】
上記左側パネル（７１Ｌ）及び右側パネル（７１Ｒ）は上記スピンドル（７５）の付近で互いにヒンジ接続され、上記左側及び右側パネルが実質的に平坦な形状に完全に展開されていないときに、上記ベルトが上記胸を完全に囲むことできるようになっている、請求項５４に記載の装置。
【請求項５６】
上記回転部材（６８）に作動可能に接続され、上記ベルトが上記患者の胸の周囲で締め付け状態で保持されるように上記ベルト回転部材を保持可能なブレーキ（１０５，１８７）と、
上記モータと上記回転部材間のクラッチ（１１１）であって、上記モータの上記回転部材の連結及び遮断可能であって、上記モータの作動中に係合及び非係合状態に設定可能なクラッチと、
上記モータの作動を制御するためのコントローラ（７０）であって、締め付けの閾値に設定する上記ベルトの締め付け、この締め付けの閾値での上記ベルトの瞬間的な保持、及び上記ベルトの解放のサイクルを繰り返すように、モータ、ブレーキ、及びクラッチを作動させるようにプラグラム可能であるコントローラと
をさらに備える請求項５０に記載の装置。
【請求項５７】
上記回転部材及び上記モータに作動可能に接続され、装置の作動中に上記モータを上記回転部材に対して連結及び遮断するクラッチ（１１１）をさらに備え、
上記回転部材（６８）は、上記ベルトの一部を上記胸郭の一側に引っ張り、それによって上記ベルトを締め付けて患者の血液を肺外領域に送り込むのに充分な胸内圧を生じさせ、かつ上記回転部材は、患者の体の弾性組織が血液を胸内領域に戻すことができるように、心蘇生速度で上記ベルトの締め付けと解除を交互に行うように作動可能である、請求項５０に記載の装置。
【請求項５８】
上記回転部材（６８）に作動可能に接続され、上記ベルトが上記患者の胸の周囲で締め付け状態で保持されるように上記ベルト回転部材を保持可能なブレーキ（１０５，１８７）と、
上記モータ及びブレーキの作動を制御するコントローラ（７０）であって、締め付けの閾値に設定する上記ベルトの締め付け、この締め付けの閾値での上記ベルトの瞬間的な保持、及び上記ベルトの解放のサイクルを繰り返すように、モータ及びブレーキを作動させるようにプラグラム可能であるコントローラと
をさらに備える請求項５０に記載の装置。
【請求項５９】
上記回転部材は駆動スプールを備える、請求項５０に記載の装置。
【請求項６０】
上記回転部材（６８）に作動可能に接続され、上記ベルトが上記患者の胸の周囲で締め付け状態で保持されるように上記ベルト回転部材を保持可能なブレーキ（１０５，１８７）と、
上記モータ及びブレーキの作動を制御するコントローラ（７０）であって、上記ベルトの締め付けのサイクルを繰り返すように上記回転部材を回転させ、上記繰り返されるサイクルの定められた時点では回転部材の回転させないように、上記モータ及び上記ブレーキが作動するようにプラグラム可能であるコントローラと
をさらに備える請求項５０に記載の装置。
【請求項６１】
上記モータに作動可能に接続され、モータに流れる電流を検出して対応する電流信号をコントローラ（７０）に伝送する電流センサをさらに備え、
上記コントローラは、患者の胸に最初にベルトを配置した後に、上記電流センサから供給される電流信号が急激に増加するまで上記モータを締付回転で回転させることにより、上記モータ及び上記回転部材が上記ベルトの緩みを引っ張るようにプラグラム可能であり、
上記コントローラは、ベルトの患者の胸の周囲への締め付けと患者の胸の周囲でのベルトの解除のサイクルを繰り返すように上記モータ及び上記回転部材が作動するようにプラグラム可能である、請求項５０に記載の装置。
【請求項６２】
上記回転部材及び上記モータに作動可能に接続された動力伝達機構をさらに備える、請求項６１に記載の装置。
【請求項６３】
上記ベルト上のエンコーダスケール（９６）及び該スケールに並置されたエンコーダスキャナであって、該エンコーダは上記コントローラにエンコーダ位置を伝送する、エンコーダスケール及びエンコーダスキャナをさらに備え、
上記コントローラは、最初の配置中に上記エンコーダ位置を上記電流信号の急激な増大に関連付け、それによってベルトの緩み限度位置を規定し、かつ上記サイクル中の上記ベルトの緩みを上記緩み限度位置に制限するようにモータを作動するようにプログラム可能である、請求項６１に記載の装置。
【請求項６４】
上記エンコーダは線形エンコーダである、請求項６３に記載の装置。
【請求項６５】
上記エンコーダは角度エンコーダである、請求項６３に記載の装置。
【請求項６６】
上記エンコーダは非線形エンコーダである、請求項６３に記載の装置。
【請求項６７】
上記患者の下で位置決め可能であり、上記患者の背骨に対応する中心線を有するバックプレート（７１）と、
上記バックプレートに固定され、上記ガイドプレートの上記中心線に対して横方向に配置された少なくとも一つのガイドスピンドル（１５４，１５５）と
を備え、
上記ベルトは上記スピンドルを乗り越えて上記患者の上記胸の周囲を通ることを特徴とする、請求項５０又は請求項５１に記載の装置。
【請求項６８】
上記患者の下で位置決め可能であり、上記患者の背骨に対応する中心線を有するバックプレート（７１）と、
上記バックプレートに固定され、上記ガイドプレートの上記中心線に対して横方向に配置された一対のガイドスピンドル（１５４，１５５）と
を備え、
上記ベルトは上記スピンドルを乗り越えて上記患者の上記胸の周囲を通ることを特徴とする、請求項５０又は請求項５１に記載の装置。